(57)【要約】【課題】片手によるトイレットペーパー８の切断を可能としうるツール２の提供。【解決手段】このツール２は、ロール紙１０がセットされるペーパーホルダー６の下側に配置される。このツール２は、プレートからなる本体１８と、このロール紙１０から引き出されたトイレットペーパー８を保持しうる摩擦板２２とを備えている。この摩擦板２２は、この本体１８に取り付けられている。この摩擦板２２は、サンドペーパーからなる。このツール２によれば、ユーザーは片手でトイレットペーパー８を引き出し、これを容易に切断することができる。しかもこの摩擦板２２はサンドペーパーからなるので、この摩擦板２２にユーザーの手指が接触しても手指に怪我が生じる危険性は低い。このツール２は、安全である。【選択図】図１
2011217781.tif 000002
【特許請求の範囲】
【請求項１】
ロール紙から引き出されたトイレットペーパーを保持しうる摩擦板を備えており、
この摩擦板が、サンドペーパーからなるトイレットペーパー切断用ツール。
【請求項２】
上記摩擦板と上記ロール紙との間においてこのロール紙から引き出されたトイレットペーパーをユーザーがその手で掴みうるように、この摩擦板の位置が調整されている請求項１に記載のトイレットペーパー切断用ツール。
【請求項３】
ロール紙がセットされるペーパーホルダーの下側に配置されるツールであって、
プレートからなる本体と、このロール紙から引き出されたトイレットペーパーを保持しうる摩擦板とを備えており、
この摩擦板が、この本体に取り付けられており、
この摩擦板が、サンドペーパーからなるトイレットペーパー切断用ツール。
【請求項４】
ロール紙が投入されるバスケットタイプのツールであって、
その開口部に沿って延在する鍔と、このロール紙から引き出されたトイレットペーパーを保持しうる摩擦板とを備えており、
この摩擦板が、この鍔に取り付けられており、
この摩擦板が、サンドペーパーからなるトイレットペーパー切断用ツール。
【発明の詳細な説明】
【技術分野】
【０００１】
本発明は、ロール紙から引き出されたトイレットペーパーを切断するためのツールに関する。
【背景技術】
【０００２】
トイレットペーパーは、通常、これが巻回されて形成されたロール紙の形態で市販されている。使用に際しては、ロール紙がトイレに設置されたペーパーホルダーに装着される。ユーザーは、ロール紙からトイレットペーパーを引き出し、これを必要な長さに切断して使用する。
【０００３】
ペーパーホルダーは、ロール紙に載せられる蓋を備えている。ユーザーは、一方の手で蓋を押さえつつ他方の手でトイレットペーパーを引っ張りながら蓋の縁を利用して、トイレットペーパーを切断する。このように、ペーパーホルダーは、トイレットペーパーの切断に際し、両手を使うことを前提としている。片手が不自由な人は、トイレットペーパーを引き出しつつ蓋を押さえることができないので、トイレットペーパーをうまく切断できない場合がある。片手が不自由な人は、介護者に頼らなければ用を足せないのが現状である。
【０００４】
片手で使用することが考慮されたペーパーホルダーについては、様々な検討がなされている。この検討の一例が、特開２００６−３２６０５９公報に開示されている。
【先行技術文献】
【特許文献】
【０００５】
【特許文献１】特開２００６−３２６０５９公報
【発明の概要】
【発明が解決しようとする課題】
【０００６】
本発明はこのような情勢に鑑みてなされたものであり、片手によるトイレットペーパーの切断を可能としうるツールの提供を目的としている。
【課題を解決するための手段】
【０００７】
本発明に係るトイレットペーパー切断用ツールは、ロール紙から引き出されたトイレットペーパーを保持しうる摩擦板を備えている。この摩擦板は、サンドペーパーからなる。
【０００８】
好ましくは、このツールでは、上記摩擦板と上記ロール紙との間においてこのロール紙から引き出されたトイレットペーパーをユーザーがその手で掴みうるように、この摩擦板の位置が調整されている。
【０００９】
本発明に係る他のトイレットペーパー切断用ツールは、ロール紙がセットされるペーパーホルダーの下側に配置される。このツールは、プレートからなる本体と、このロール紙から引き出されたトイレットペーパーを保持しうる摩擦板とを備えている。この摩擦板は、この本体に取り付けられている。この摩擦板は、サンドペーパーからなる。
【００１０】
本発明に係るさらに他のトイレットペーパー切断用ツールは、ロール紙が投入されるバスケットタイプのものである。このツールは、その開口部に沿って延在する鍔と、このロール紙から引き出されたトイレットペーパーを保持しうる摩擦板とを備えている。この摩擦板は、この鍔に取り付けられている。この摩擦板は、サンドペーパーからなる。
【発明の効果】
【００１１】
本発明に係るトイレットペーパー切断用ツールによれば、ユーザーは片手でトイレットペーパーを引き出し、これを容易に切断することができる。
【図面の簡単な説明】
【００１２】
【図１】図１は、本発明の一実施形態に係るトイレットペーパー切断用ツールが示された側面図である。
【図２】図２は、図１のツールが示された平面図である。
【図３】図３は、本発明の他の実施形態に係るトイレットペーパー切断用ツールが示された断面図である。
【図４】図４は、本発明のさらに他の実施形態に係るトイレットペーパー切断用ツールが示された断面図である。
【発明を実施するための形態】
【００１３】
以下、適宜図面が参照されつつ、好ましい実施形態に基づいて本発明が詳細に説明される。
【００１４】
図１及び図２には、本発明の一実施形態に係るトイレットペーパー切断用ツール２がトイレの壁４に設置されたペーパーホルダー６と共に示されている。ペーパーホルダー６には、トイレットペーパー８が巻回されて形成されたロール紙１０が装着されている。このペーパーホルダー６は、ロール紙１０に載せられる蓋１２と、ロール紙１０の両側に位置する一対の側板１４と、両側板１４に架け渡されておりこのロール紙１０を支持しうるアーム１６とを備えている。
【００１５】
ツール２は、ペーパーホルダー６の下側に配置されている。ツール２は、本体１８と、棚受２０と、摩擦板２２とを備えている。本体１８は、木製のプレートからなる。このツール２では、本体１８の左右方向の長さは１７０ｍｍ以上が好ましく、２１０ｍｍ以下が好ましい。特に好ましくは、この本体１８の長さは１９０ｍｍである。本体１８の前後方向の幅は、１３０ｍｍ以上が好ましく、１７０ｍｍ以下が好ましい。特に好ましくは、この本体１８の幅は１５０ｍｍである。本体１８の上下方向の厚みは、３ｍｍ以上が好ましく、２０ｍｍ以下が好ましい。特に好ましくは、この本体１８の厚みは１０ｍｍである。なお、この本体１８が金属製のプレートから構成されてもよいし、プラスチック製のプレートから構成されてもよい。
【００１６】
本体１８は、第一バー２３ａと、第二バー２３ｂと、第三バー２３ｃとを備えている。図２に示されているように、第一バー２３ａは壁側に位置しており、左右方向に延在している。第二バー２３ｂは、右側に位置しており、第一バー２３ａから前方に向かって延在している。第三バー２３ｃは、手前側に位置しており、第二バー２３ｂから左方に向かって延在している。このツール２では、第一バー２３ａと第二バー２３ｂとは一体的に形成されている。第二バー２３ｂと第三バー２３ｃとは、一体的に形成されている。このツール２の本体１８には、第一バー２３ａ、第二バー２３ｂ及び第三バー２３ｃにより、この本体１８の左側から右側に向かって延在する凹みとしてのガイド２４が設けられている。ガイド２４は、本体１８を上下方向に貫通している。このガイド２４は、その左側の部分に開口部２６を備えている。なお、この本体１８において、第二バー２３ｂを左側に配置させて、その右側に開口部を有するガイドが構成されてもよい。
【００１７】
棚受２０は、本体１８の下側に位置している。この棚受２０に本体１８が載せられ、この本体１８がこの棚受２０に固定されている。この棚受２０は、本体１８を支持しうる。このツール２では、棚受２０が壁４に取り付けられている。この取付により、このツール２が壁４に固定されている。
【００１８】
摩擦板２２は、サンドペーパーからなる。図示されていないが、このサンドペーパーは紙又は布からなる基材に研磨材が付着されたものである。基材が紙からなるものは、研磨紙とも称される。基材が布からなるものは、研磨布とも称される。
【００１９】
このツール２では、摩擦板２２は両面テープ（図示されず）を用いて本体１８の表面２８に貼り付けられている。図示されているように、このツール２では、本体１８を構成する第三バー２３ｃの周囲に摩擦板２２が取り付けられている。換言すれば、この第三バー２３ｃの上面２８ａ、下面２８ｂ、後側面２８ｃ及び前側面２８ｄに、摩擦板２２が取り付けられている。さらにこのツール２では、本体１８を構成する第二バー２３ｂの左側面２８ｅ及び右側面２８ｆに、摩擦板２２が取り付けられている。なお、この上面２８ａ、下面２８ｂ、後側面２８ｃ、前側面２８ｄ、左側面２８ｅ及び右側面２８ｆは、本体１８の表面２８の一部である。
【００２０】
このツール２では、ロール紙１０から引き出されたトイレットペーパー８は摩擦板２２に当接される。前述したように、摩擦板２２を構成するサンドペーパーは基材に研磨材が付着されたものである。この摩擦板２２は、トイレットペーパー８の動きを妨げるように力を働かせる。トイレットペーパー８は、摩擦板２２に当接すると、この摩擦板２２において保持される。このツール２では、摩擦板２２がトイレットペーパー８の位置ずれを効果的に抑えうる。
【００２１】
このツール２では、摩擦板２２がトイレットペーパー８を保持するので、トイレットペーパー８を摩擦板２２に当接させた状態で引っ張ると、このトイレットペーパー８に張力が生じる。この張力は、トイレットペーパー８の切断に寄与しうる。このツール２では、トイレットペーパー８を引き出した後これを摩擦板２２に当接させつつ本体１８の縁の部分にあてがうことで、トイレットペーパー８が容易に引きちぎられる。このツール２によれば、ユーザーは片手でトイレットペーパー８を引き出し、これを容易に切断することができる。しかもこの摩擦板２２はサンドペーパーからなるので、この摩擦板２２にユーザーの手指が接触しても手指に怪我が生じる危険性は低い。このツール２は、安全である。
【００２２】
このツール２では、摩擦板２２がトイレットペーパー８を保持しこのトイレットペーパ−８が効果的に切断されうるという観点から、摩擦板２２としては粗めのサンドペーパーが好ましい。このサンドペーパーの番手としては、８０番が好ましく、６０番がより好ましく、４０番が特に好ましい。同様の観点から、本体１８の表面２８を構成する各面のうち、側面又は下面に、摩擦板２２が取り付けられるのが好ましい。
【００２３】
図示されていないが、このツール２では、使用開始間もないロール紙１０から引き出されたトイレットペーパー８は第三バー２３ｃの前側に配置される。前述したように、この第三バー２３ｃの前側面２８ｄには摩擦板２２が取り付けられている。このため、トイレットペーパー８を壁側に引っ張り、この前側面２８ｄに取り付けられた摩擦板２２に当接させれば、このトイレットペーパー８が切断されうる。
【００２４】
前述したように、このツール２では、その本体１８にガイド２４が設けられている。このため、使用により細径化したロール紙１０においては、このロール紙１０から引き出されたトイレットペーパー８は、図２に示されているように、このガイド２４に通される。挿通が容易の観点から、このガイド２４の前後方向の幅は９０ｍｍ以上が好ましく、１１０ｍｍ以下が好ましい。特に好ましくは、このガイド２４の幅は１００ｍｍである。なお、このガイド２４の左右方向の長さ、換言すれば、第三バー２３ｃの長さは、トイレットペーパー８の幅が考慮され適宜決められる。
【００２５】
このツール２では、ガイド２４に通されたトイレットペーパー８の手前側には、第三バー２３ｃが位置している。前述したように、この第三バー２３ｃの周囲には摩擦板２２が取り付けられている。このため、トイレットペーパー８を手前側に引っ張り第三バー２３ｃの後側面２８ｃに取り付けられた摩擦板２２に当接させれば、このトイレットペーパー８が切断されうる。前述したように、この第三バー２３ｃの下面２８ｂにも摩擦板２２が取り付けられている。このため、このトイレットペーパー８をこの第三バー２３ｃの周りで壁側から手前側に折返し、これを上方に引っ張りこの下面２８ｂに取り付けられた摩擦板２２に当接させても、このトイレットペーパー８は切断されうる。このツール２は、利便性に優れる。
【００２６】
このツール２では、ガイド２４に通されたトイレットペーパー８の右側には、第二バー２３ｂが位置している。前述したように、この第二バー２３ｂの左側面２８ｅ及び右側面２８ｆには摩擦板２２が取り付けられている。このため、トイレットペーパー８を右側に引っ張り第二バー２３ｂの左側面２８ｅに取り付けられた摩擦板２２に当接させれば、トイレットペーパー８が切断されうる。さらにこのトイレットペーパー８をこの第二バー２３ｂの周りで左側から右側に折返し、これを上方に引っ張りこの右側面２８ｆに取り付けられた摩擦板２２に当接させても、このトイレットペーパー８は切断されうる。このツール２は、利便性に優れる。
【００２７】
このツール２では、その本体１８とロール紙１０とは間隔を空けて配置されている。図１に示されているように、摩擦板２２とロール紙１０との間には、このロール紙１０から引き出されたトイレットペーパー８が存在している。このツール２では、摩擦板２２とロール紙１０との間にあるトイレットペーパー８をユーザーがその手で掴みうるように、この摩擦板２２の位置が調整されている。このため、ユーザーはトイレットペーパー８を容易に掴むことができる。ロール紙１０自体に触れることなくトイレットペーパー８を引き出すことができるので、ロール紙１０の汚れ及び濡れが効果的に防止される。扱いやすさ及びトイレの質感への影響の観点から、このツール２とロール紙１０を支持するアーム１６との間の間隔は、８０ｍｍ以上が好ましく、２５０ｍｍ以下が好ましい。
【００２８】
図３は、本発明の他の実施形態に係るトイレットペーパー切断用ツール３０が示された断面図である。この図３には、ツール３０がロール紙１０と共に示されている。図示されているように、このツール３０にはロール紙１０が投入される。このツール３０は、バスケットタイプである。このツール３０は、トイレの壁４に取り付けられている。なお、この紙面に対して垂直な方向がこのツール３０の左右方向である。
【００２９】
このツール３０は、底板３２と、４枚の側板３４と、摩擦板３６とを備えている。４枚の側板３４はそれぞれ、底板３２から上向きに延在している。これら側板３４のうち、壁４の側に位置するのが後側板３４ａ、手前側に位置するのが前側板３４ｂ、ロール紙１０の右側に位置するのが右側板３４ｃそしてこのロール紙１０の左側に位置するのが左側板（図示されず）である。
【００３０】
後側板３４ａは、壁４と当接している。このツール３０では、後側板３４ａが取付具３８を用いて壁４に取り付けられている。この取付により、このツール３０は壁４に固定されている。
【００３１】
底板３２は、後側板３４ａから前方に向かって下向きに傾斜して延在している。前側板３４ｂは、底板３２から上方に向かって前向きに傾斜して延在している。このツール３０は、この前側板３４ｂと後側板３４ａとの間の距離が上方に向かって漸増するように構成されている。このツール３０の開口部４０は、底板３２よりも大きい。開口部４０が大きいので、ロール紙１０が容易に投入されうる。
【００３２】
このツール３０では、前側板３４ｂはその上側に鍔４２を備えている。この鍔４２は、このツール３０の開口部４０に沿って延在している。この鍔４２は、前方に突出している。
【００３３】
摩擦板３６は、テープ状のサンドペーパーからなる。このサンドペーパーとしては、研磨紙及び研磨布が例示される。このツール３０では、摩擦板３６は両面テープ（図示されず）を用いて、前述の鍔４２に貼り付けられている。この摩擦板３６は、この鍔４２に沿って延在している。
【００３４】
このツール３０では、ロール紙１０から引き出されたトイレットペーパー８は摩擦板３６に当接される。摩擦板３６を構成するサンドペーパーは、基材に研磨材が付着されたものである。この摩擦板３６は、トイレットペーパー８の動きを妨げるように力を働かせる。トイレットペーパー８は、摩擦板３６に当接すると、この摩擦板３６において保持される。このツール３０では、この摩擦板３６がトイレットペーパー８の位置ずれを効果的に抑えうる。
【００３５】
このツール３０では、摩擦板３６がトイレットペーパー８を保持するので、トイレットペーパー８を摩擦板３６に当接させた状態で引っ張ると、このトイレットペーパー８に張力が生じる。この張力は、トイレットペーパー８の切断に寄与しうる。このツール３０では、トイレットペーパー８を引き出した後これを摩擦板３６に当接させつつ鍔４２の縁の部分にあてがうことで、トイレットペーパー８が容易に引きちぎられる。このツール３０によれば、ユーザーは片手でトイレットペーパー８を引き出し、これを容易に切断することができる。しかもこの摩擦板３６はサンドペーパーからなるので、この摩擦板３６にユーザーの手指が接触しても手指に怪我が生じる危険性は低い。このツール３０は、安全である。
【００３６】
このツール３０では、摩擦板３６がトイレットペーパー８を保持しこのトイレットペーパ−８が効果的に切断されうるという観点から、摩擦板３６としては粗めのサンドペーパーが好ましい。このサンドペーパーの番手としては、８０番が好ましく、６０番がより好ましく、４０番が特に好ましい。
【００３７】
このツール３０では、摩擦板３６はロール紙１０と間隔を空けて配置されている。図３に示されているように、摩擦板３６とロール紙１０との間には、このロール紙１０から引き出されたトイレットペーパー８が存在している。このツール３０では、摩擦板３６とロール紙１０との間にあるトイレットペーパー８をユーザーがその手で掴みうるように、この摩擦板３６の位置が調整されている。このため、ユーザーはトイレットペーパー８を容易に掴むことができる。ロール紙１０自体に触れることなくトイレットペーパー８を引き出すことができるので、ロール紙１０の汚れ及び濡れが効果的に防止される。このツール３０は、衛生的である。
【００３８】
このツール３０では、摩擦板３６はロール紙１０よりも上方に位置している。このため、ロール紙１０から引き出されたトイレットペーパー８には、張力が掛かりやすい。このツール３０によれば、トイレットペーパー８が容易に切断されうる。この観点から、この摩擦板３６の高さは１５０ｍｍ以上が好ましく、２００ｍｍ以下が好ましい。なお、この摩擦板３６の高さは、底板３２の上面４４から摩擦板３６の上面４６までの高さがこの底板３２に対する垂線に沿って計測されることにより得られる。
【００３９】
前述したように、このツール３０では、底板３２は前方に向かって下向きに傾斜している。このため、ロール紙１０はこのツール３０に投入されると、底板３２を転がり前側板３４ｂに当接する。このツール３０では、ロール紙１０は後側へ移動しにくい。ロール紙１０が前側板３４ｂに当接した状態で保持されるので、トイレットペーパー８は摩擦板３６からずり落ちにくい。このツール３０では、トイレットペーパー８が摩擦板３６に保持された状態で維持されるので、ユーザーはトイレットペーパー８を掴みやすい。
【００４０】
このツール３０は、ロール紙１０が１個入る大きさを有している。このツール３０が、２個のロール紙１０を左右方向に並べて配置しうるように構成されてもよい。
【００４１】
図４は、本発明のさらに他の実施形態に係るトイレットペーパー切断用ツール４８が示された断面図である。この図４には、ツール４８がロール紙１０と共に示されている。図示されているように、このツール４８にはロール紙１０が投入される。このツール４８は、バスケットタイプである。このツール４８は、床又は棚に置いて使用するものである。なお、この図４の右側がこのツール４８の前側である。この紙面に対して垂直な方向が、このツール４８の左右方向である。
【００４２】
このツール４８は、ステージ５０と、本体５２と、摩擦板５４とを備えている。ステージ５０は、メインプレート５６と、このメインプレート５６の後縁から上方に延在するサブプレート５８とを備えている。
【００４３】
本体５２は、底板６０と、４枚の側板６２とを備えている。４枚の側板６２はそれぞれ、底板６０から上向きに延在している。これら側板６２のうち、後側に位置するのが後側板６２ａ、前側に位置するのが前側板６２ｂ、ロール紙１０の右側に位置するのが右側板６２ｃそしてこのロール紙１０の左側に位置するのが左側板（図示されず）である。
【００４４】
図示されているように、本体５２は、その後側板６２ａがステージ５０のサブプレート５８の直上に位置するように、このステージ５０に載せられている。そして、この本体５２の前側板６２ｂはメインプレート５６に載せられている。このため、この本体５２の底板６０は後側板６２ａから前方に向かって下向きに傾斜して延在している。この底板６０は、メインプレート５６に対して傾斜して延在している。
【００４５】
前側板６２ｂは、底板６０から上方に向かって前向きに傾斜して延在している。後側板６２ａは、上方に向かって延在している。このツール４８は、この前側板６２ｂと後側板６２ａとの間の距離が上方に向かって漸増するように構成されている。このツール４８の開口部６４は、底板６０よりも大きい。開口部６４が大きいので、ロール紙１０が容易に投入されうる。
【００４６】
このツール４８では、前側板６２ｂはその上側に鍔６６を備えている。この鍔６６は、このツール４８の開口部６４に沿って延在している。この鍔６６は、前方に突出している。
【００４７】
摩擦板５４は、テープ状のサンドペーパーからなる。このサンドペーパーとしては、研磨紙及び研磨布が例示される。このツール４８では、摩擦板５４は両面テープ（図示されず）を用いて、前述の鍔６６に貼り付けられている。この摩擦板５４は、この鍔６６に沿って延在している。
【００４８】
このツール４８では、ロール紙１０から引き出されたトイレットペーパー８は摩擦板５４に当接される。摩擦板５４を構成するサンドペーパーは、基材に研磨材が付着されたものである。この摩擦板５４は、トイレットペーパー８の動きを妨げるように力を働かせる。トイレットペーパー８は、摩擦板５４に当接すると、この摩擦板５４において保持される。このツール４８では、この摩擦板５４がトイレットペーパー８の位置ずれを効果的に抑えうる。
【００４９】
このツール４８では、摩擦板５４がトイレットペーパー８を保持するので、トイレットペーパー８を摩擦板５４に当接させた状態で引っ張ると、このトイレットペーパー８に張力が生じる。この張力は、トイレットペーパー８の切断に寄与しうる。このツール４８では、トイレットペーパー８を引き出した後これを摩擦板５４に当接させつつ鍔６６の縁の部分にあてがうことで、トイレットペーパー８が容易に引きちぎられる。このツール４８によれば、ユーザーは片手でトイレットペーパー８を引き出し、これを容易に切断することができる。しかもこの摩擦板５４はサンドペーパーからなるので、この摩擦板５４にユーザーの手指が接触しても手指に怪我が生じる危険性は低い。このツール４８は、安全である。
【００５０】
このツール４８では、摩擦板５４がトイレットペーパー８を保持しこのトイレットペーパ−８が効果的に切断されうるという観点から、摩擦板２２としては粗めのサンドペーパーが好ましい。このサンドペーパーの番手としては、８０番が好ましく、６０番がより好ましく、４０番が特に好ましい。
【００５１】
このツール４８では、摩擦板５４はロール紙１０と間隔を空けて配置されている。図４に示されているように、摩擦板５４とロール紙１０との間には、このロール紙１０から引き出されたトイレットペーパー８が存在している。このツール４８では、摩擦板５４とロール紙１０との間にあるトイレットペーパー８をユーザーがその手で掴みうるように、この摩擦板５４の位置が調整されている。このため、ユーザーはトイレットペーパー８を容易に掴むことができる。ロール紙１０自体に触れることなくトイレットペーパー８を引き出すことができるので、ロール紙１０の汚れ及び濡れが効果的に防止される。このツール４８は、衛生的である。
【００５２】
このツール４８では、摩擦板５４はロール紙１０よりも上方に位置している。このため、ロール紙１０から引き出されたトイレットペーパー８には、張力が掛かりやすい。このツール４８によれば、トイレットペーパー８を容易に切断することができる。この観点から、この摩擦板５４の高さは１５０ｍｍ以上が好ましく、２００ｍｍ以下が好ましい。なお、この摩擦板５４の高さは、底板６０の上面６８から摩擦板５４の上面７０までの高さがこの底板６０に対する垂線に沿って計測されることにより得られる。
【００５３】
前述したように、このツール４８では、底板６０は前方に向かって下向きに傾斜している。このため、ロール紙１０はこのツール４８に投入されると、底板６０を転がり前側板６２ｂに当接する。このツール４８では、ロール紙１０は後側へ移動しにくい。ロール紙１０が前側板６２ｂに当接した状態で保持されるので、トイレットペーパー８は摩擦板５４からずり落ちにくい。このツール４８では、トイレットペーパー８が摩擦板５４に保持された状態で維持されるので、ユーザーはトイレットペーパー８を掴みやすい。
【００５４】
このツール４８では、ステージ５０のメインプレート５６は本体５２の前側板６２ｂから前方に突出している。この突出は、このツール４８の転がりを防止しうる。このメインプレート５６が、鍔６６の先端７２よりも前方に突出しているので、このツール４８の転がりが効果的に防止されている。ツール４８の転倒防止の観点から、このメインプレート５６の突出長さ（図４中、両矢印ＤＡで示された長さ）は、２０ｍｍ以上が好ましく、５０ｍｍ以下が好ましい。なお、この突出長さは鍔６６の先端７２からメインプレート５６の先端までの距離ＤＡが計測されることにより得られる。
【００５５】
このツール４８は、ロール紙１０が１個入る大きさを有している。このツール４８が、２個のロール紙１０を左右方向に並べて配置できるような大きさを有していてもよい。
【産業上の利用可能性】
【００５６】
以上説明されたツールは、種々のロール紙の切断にも用されうる。
【符号の説明】
【００５７】
２、３０、４８・・・ツール
８・・・トイレットペーパー
１０・・・ロール紙
１８・・・本体
２０・・・棚受
２２、３６、５４・・・摩擦板
２４・・・ガイド
２６、６４・・・開口部
３２、６０・・・底板
３４、３４ａ、３４ｂ、３４ｃ、６２、６２ａ、６２ｂ、６２ｃ・・・側板
４２、６６・・・鍔
５０・・・ステージ
【図１】
2011217781.tif 000003
【図２】
2011217781.tif 000004
【図３】
2011217781.tif 000005
【図４】
2011217781.tif 000006